(57)【要約】本発明はショーケースローラ棚用エンドキャップに関する。本発明の一実施形態に係るショーケースローラ棚用エンドキャップは、ショーケースの内部に商品をスライドしながら引き出し位置に移動させるように複数のローラがローラ支持体に回転可能に支持され、ローラ支持体の外側周囲を覆うケーシングを含むローラ単位体を複数列に配列した状態でそれぞれの上記ケーシングの両端に挿入支持されるエンドキャップであって、上記ケーシングの両端に互いに向かい合う位置に配置されており、複数列に備えられた上記ケーシングの両端を横切る位置に設置されたキャップ本体と、複数列に備えられた上記ケーシングの両端にそれぞれ挿入されるように上記キャップ本体の互いに向かい合う位置で突出し、複数の上記ケーシングが挿入される位置毎に複数列に配置されている上記ローラが各列毎に回転する中心が互いに異なる位置に位置するようにそれぞれ突出距離が調節されて複数列の位置のうち隣接する列が支持される突出距離が互いに異なるように備えられた状態で交互に繰り返されるように突出した複数の突出体とを含むことを特徴とする。【選択図】図１
2018501067.tif 000002
【特許請求の範囲】
【請求項１】
ショーケースの内部に商品をスライドしながら引き出し位置に移動するように複数のローラがローラ支持体に回転可能に支持され、ローラ支持体の外側周囲を覆うケーシングを含むローラ単位体を複数列に配列した状態でそれぞれの前記ケーシングの両端に挿入支持されるエンドキャップであって、
前記ケーシングの両端に互いに向かい合う位置に配置されており、複数列に備えられた前記ケーシングの両端を横切る位置に設置されたキャップ本体と、
複数列に備えられた前記ケーシングの両端にそれぞれ挿入されるように前記キャップ本体の互いに向かい合う位置で突出し、複数の前記ケーシングが挿入される位置毎に複数列に配置されている前記ローラが各列毎に回転する中心が互いに異なる位置に位置するようにそれぞれ突出距離が調節されて複数列の位置のうち隣接する列が支持される突出距離が互いに異なるように備えられた状態で交互に繰り返されるように突出した複数の突出体と、
を含むことを特徴とするショーケースローラ棚用エンドキャップ。
【請求項２】
前記突出体は、
複数列に配列された前記ケーシングのうち一側端に位置している前記ケーシングの両端のうち一端の位置に挿入されるように一方に位置する前記キャップ本体の一側端から他側方向へ第１突出距離だけ突出した第１突出体と、
前記第１突出体の互いに向かい合う他方に配置されており、前記第１突出体が挿入支持される前記ケーシングの他端の位置に挿入されるように他方に位置する前記キャップ本体の一側方向に第２突出距離だけ突出した第２突出体と、
前記第１突出体の隣接する他側に配置されており、前記第１突出体が支持される前記ケーシングの隣接する他側に位置する前記ケーシングの一端の位置に挿入されるように他側方向に第３突出距離だけ突出した第３突出体と、
前記第３突出体の互いに向かい合う他方に配置されており、前記第３突出体が挿入支持される前記ケーシングの他端の位置に挿入されるように他方に位置する前記キャップ本体の一側方向に第４突出距離だけ突出した第４突出体と
を含み、
前記第１突出距離と前記第３突出距離が互いに異なるように備えられており、前記第２突出距離と前記第４突出距離が互いに異なるように備えられ、それぞれに支持された前記ケーシングの内部に設置された前記ローラの回転中心軸の位置が互いにジグザグに備えられ、一方に位置する前記キャップ本体は、長さによって前記第１突出体と前記第３突出体が交互に延長形成され、他方に位置する前記キャップ本体は、長さによって前記第２突出体と前記第４突出体が交互に延長形成されることを特徴とする請求項１に記載のショーケースローラ棚用エンドキャップ。
【請求項３】
前記第１突出距離は前記第３突出距離よりも大きく、前記第１突出距離の大きな突出距離の差だけ前記第４突出距離が前記第２突出距離よりも大きく備えられ、それぞれに支持された前記ケーシングの内部に設置された前記ローラが回転する各列毎に中心軸の位置が互いにジグザグに備えられることを特徴とする請求項２に記載のショーケースローラ棚用エンドキャップ。
【請求項４】
前記第１突出距離が前記第３突出距離よりも大きく突出した大きな突出距離と前記第４突出距離が前記第２突出距離よりも大きく突出した大きな突出距離は同一であり、大きな突出距離の和である２倍の大きな突出距離は、前記ケーシングに設置された複数の前記ローラの回転軸間距離よりも小さいことを特徴とする請求項３に記載のショーケースローラ棚用エンドキャップ。
【請求項５】
前記第１突出距離が前記第３突出距離よりも大きく突出した大きな突出距離と前記第４突出距離が前記第２突出距離よりも大きく突出した大きな突出距離は、同一に前記ケーシングに設置された複数の前記ローラの回転軸間距離の１/４に形成され、２つの大きな突出距離の和が前記ローラの軸間距離の１/２となるように備えられることを特徴とする請求項４に記載のショーケースローラ棚用エンドキャップ。
【請求項６】
前記第３突出距離は前記第１突出距離よりも大きく、前記第３突出距離の大きな突出距離の差だけ前記第２突出距離が前記第４突出距離よりも大きく備えられ、それぞれに支持された前記ケーシングの内部に設置された前記ローラが回転する各列毎に中心軸の位置が互いにジグザグに備えられることを特徴とする請求項２に記載のショーケースローラ棚用エンドキャップ。
【請求項７】
前記第３突出距離が前記第１突出距離よりも大きく突出した大きな突出距離と前記第２突出距離が前記第４突出距離よりも大きく突出した大きな突出距離は同一であり、大きな突出距離の和である２倍の大きな突出距離は、前記ケーシングに設置された複数の前記ローラの回転軸間距離よりも小さいことを特徴とする請求項６に記載のショーケースローラ棚用エンドキャップ。
【請求項８】
前記第３突出距離が前記第１突出距離よりも大きく突出した大きな突出距離と前記第２突出距離が前記第４突出距離よりも大きく突出した大きな突出距離は、同一に前記ケーシングに設置された複数の前記ローラの回転軸間距離の１/４に形成され、２つの大きな突出距離の和が前記ローラの軸間距離の１/２となるように備えられることを特徴とする請求項７に記載のショーケースローラ棚用エンドキャップ。
【発明の詳細な説明】
【技術分野】
【０００１】
本発明はショーケースローラ棚用エンドキャップに関し、より詳細には、陳列されている商品が接触した状態でスライドするショーケースローラ棚の両端が支持されるように設置されるエンドキャップの構造を、複数列に配列したときにそれぞれの列毎に設置されたローラが交互に配置されて接触面積が拡大するように改善して、規格化された複数のローラが回転可能に配置されたローラ単位体を各列毎に設置させることができ、生産性と組立性が向上するショーケースローラ用エンドキャップに関する。
【背景技術】
【０００２】
一般に、ショーケースは、商品の陳列を目的に店内に設置する箱型構造物として、販売される商品を外部から確認しながら商品を引き出して購買できるように、前面が透明形態で備えられる。
【０００３】
このようなショーケースは、スーパーやコンビニエンスストアなどの場所に設置されるものであって、内部に商品を種類別に陳列できる棚が備えられており、購買者による商品の識別及び選択の利便性を向上させることができ、容易に引き出し可能なように備えられる。
【０００４】
このように、ショーケースに設置される棚は、複数の商品が収納保管されており、先端に配置された商品を購買者が購買した後には次の商品が位置するように商品と接触する面にローラが設置され、ローラに沿って移動するように傾斜して備えられる。
【０００５】
通常のショーケースローラ棚は、棚の大きさと幅に応じてローラの大きさと設置される数量を決定し、決定されたローラの大きさと数量に応じてローラが回転可能に支持されるフレームを製作し、製作されたローラ棚を使用者が所望する位置に設置するように備えられる。
【０００６】
近年は、複数列に配列されているローラ単位体を各列毎に互いに異なる中心軸を有するように交互に設置して、商品がより円滑にスライドして移動するようなショーケースローラ棚が発売されている。
【０００７】
このようなショーケースローラ棚は、複数の列のうち互いに隣接する位置に設置されるローラ単位体のローラが互いに異なる回転中心位置に配置されるために、互いに異なる段差を有する２種類のローラ単位体を交互に設置する。このとき、誤ってローラ単位体を交互に設置できなかった場合には、誤って設置されたローラ単位体を除去して他のローラ単位体を設置しなければならないため、作業生産性が低下する恐れがある。
【０００８】
そのため、生産性を向上させることができるショーケースローラ棚の構造が要求される。
【発明の概要】
【発明が解決しようとする課題】
【０００９】
そこで、本発明は上記事情に鑑みてなされたものであって、その目的は、ショーケース用ローラ棚に設置されるローラが、陳列される商品が接触した状態でスライドするように複数の数量が回転可能に配置された１つの単位体で構成され、各ローラの両端が支持されるように設置されるエンドキャップの構造を、複数列に配列したときにそれぞれの列毎に設置されたローラが交互に配置されて接触面積が拡大するように改善した、ショーケースローラ棚用エンドキャップを提供することにある。
【００１０】
本発明の技術的課題は、以上で言及したものに制限されず、言及していない他の技術的課題は、以下の記載から当業者に明確に理解され得る。
【課題を解決するための手段】
【００１１】
上記課題を達成するために、本発明の一実施形態に係るショーケースローラ棚用エンドキャップは、ショーケースの内部に商品がスライドしながら引き出し位置に移動するように複数のローラがローラ支持体に回転可能に支持され、ローラ支持体の外側周囲を覆うケーシングを含むローラ単位体を複数列に配列した状態でそれぞれの上記ケーシングの両端に挿入支持されるエンドキャップであって、上記ケーシングの両端に互いに向かい合う位置に配置されており、複数列に備えられた上記ケーシングの両端を横切る位置に設置されたキャップ本体、及び複数列に備えられた上記ケーシングの両端にそれぞれ挿入されるように上記キャップ本体が互いに向かい合う位置で突出し、複数の上記ケーシングが挿入される位置毎に複数列に配置されている上記ローラが各列毎に回転される中心が互いに異なる位置に位置するようにそれぞれ突出距離が調節されて複数列の位置のうち隣接する列が支持される突出距離が互いに異なるように備えられた状態で交互に繰り返されるように突出した複数の突出体を含むことを特徴とする。
【００１２】
また、上記突出体は、複数列に配列された上記ケーシングのうち一側端に位置している上記ケーシングの両端のうち一端の位置に挿入されるように一方に位置する上記キャップ本体の一側端から他側方向へ第１突出距離だけ突出した第１突出体、第１突出体の互いに向かい合う他方に配置されており、上記第１突出体が挿入支持される上記ケーシングの他端の位置に挿入されるように他方に位置する上記キャップ本体の一側方向に第２突出距離だけ突出した第２突出体、上記第１突出体の隣接する他側に配置されており、上記第１突出体が支持される上記ケーシングの隣接する他側に位置する上記ケーシングの一端の位置に挿入されるように他側方向に第３突出距離だけ突出した第３突出体、及び前記第３突出体の互いに向かい合う他方に配置されており、上記第３突出体が挿入支持される上記ケーシングの他端の位置に挿入されるように他方に位置する上記キャップ本体の一側方向に第４突出距離だけ突出した第４突出体を含むことができ、上記第１突出距離と上記第３突出距離が互いに異なるように備えられることができ、上記第２突出距離と上記第４突出距離が互いに異なるように備えられることができ、それぞれに支持された上記ケーシングの内部に設置された上記ローラの回転中心軸の位置が互いにジグザグに備えられることができ、一方に位置する上記キャップ本体は、長さによって上記第１突出体と上記第３突出体が交互に延長形成され得、他方に位置する上記キャップ本体は、長さによって上記第２突出体と上記第４突出体が交互に延長形成され得ることを特徴とする。
【００１３】
そして、上記第１突出距離は上記第３突出距離よりも大きく、上記第１突出距離の大きな突出距離の差だけ上記第４突出距離が上記第２突出距離よりも大きく備えられ、それぞれに支持された上記ケーシングの内部に設置された上記ローラが回転される各列毎に中心軸の位置が互いにジグザグに備えられることができることを特徴とする。
【００１４】
また、上記第１突出距離が上記第３突出距離よりも大きく突出した大きな突出距離と上記第４突出距離が上記第２突出距離よりも大きく突出した大きな突出距離は同一に備えられることができ大きな突出距離の和である２倍の大きな突出距離は、上記ケーシングに設置された複数の上記ローラの回転軸間距離よりも小さく備えられることができることを特徴とする。
【００１５】
更に、上記第１突出距離が上記第３突出距離よりも大きく突出した大きな突出距離と上記第４突出距離が上記第２突出距離よりも大きく突出した大きな突出距離は、同一に上記ケーシングに設置された複数の上記ローラの回転軸間距離の１/４に形成され、２つの大きな突出距離の和が上記ローラの軸間距離の１/２となるように備えられることができることを特徴とする。
【００１６】
また、上記第３突出距離は上記第１突出距離よりも大きく、上記第３突出距離の大きな突出距離の差だけ上記第２突出距離が上記第４突出距離よりも大きく備えられることができ、それぞれに支持された上記ケーシングの内部に設置された上記ローラが回転する各列毎に中心軸の位置が互いにジグザグに備えられることができることを特徴とする。
【００１７】
そして、上記第３突出距離が上記第１突出距離よりも大きく突出した大きな突出距離と上記第２突出距離が上記第４突出距離よりも大きく突出した大きな突出距離は同一であり得、大きな突出距離の和である２倍の大きな突出距離は、上記ケーシングに設置された複数の上記ローラの回転軸間距離よりも小さく備えられることができることを特徴とする。
【００１８】
更に、上記第３突出距離が上記第１突出距離よりも大きく突出した大きな突出距離と上記第２突出距離が上記第４突出距離よりも大きく突出した大きな突出距離は、同一に上記ケーシングに設置された複数の上記ローラの回転軸間距離の１/４に形成されることができ、２つの大きな突出距離の和が上記ローラの軸間距離の１/２となるように備えられることができることを特徴とする。
【００１９】
その他の実施形態の具体的な事項は、詳細な説明及び図面に含まれている。
【発明の効果】
【００２０】
本発明の一実施形態に係るショーケースローラ棚用エンドキャップによれば、ショーケース棚に積載される商品がスライドしながら供給されるように棚に設置された複数のローラが支持されるエンドキャップの構造が、各列毎に支持位置が異なるように設けられている。複数のローラが回転可能に設置されたローラ単位体が規格化した同一の長さで設置されたとしても、それぞれ列毎にローラが交互に配置されて商品との接触面積を拡大させることができ、正確な位置で接触により転がり移動することができ、移動効率を向上させるという効果を奏する。
【００２１】
また、本発明のショーケースローラ棚用エンドキャップは、ローラ単位体が挿入されるケーシングの両側にそれぞれ支持される位置を変更して、ローラ単位体にローラ回転中心軸の位置を変更するものである。エンドキャップの設置により支持位置が変更されている各列に、ケーシング毎に規格化された同一数量のローラが設置されたローラ単位体を使用できることから、生産コストを低減し、生産効率を向上させることができる。
【００２２】
そして、本発明のショーケースローラ棚用エンドキャップは、複数列に配置されるローラ単位体の両端を単一体で支持するものであって、複数の列毎に互いに向かい合う位置で一方の突出部が備えられ、列によって突出部が一方と他方にそれぞれ交互に備えられることができ、各列毎に同一規格のローラ単位体を設置するだけで複数列のローラの中心軸が互いにジグザグになることにより、接触面積を低減できる。そのため、組立効率性を向上させることができる。
【００２３】
本発明の効果は、以上で言及した効果に制限されず、言及していない他の効果は、請求範囲の記載から当業者に明確に理解され得る。
【図面の簡単な説明】
【００２４】
【図１】本発明の一実施形態に係るショーケースローラ棚用エンドキャップがショーケースローラ棚に設置される状態を示す分解斜視図である。
【図２】図１のショーケースローラ棚用エンドキャップがショーケースローラ棚に設置される状態を示す斜視図である。
【図３】図１のショーケースローラ棚用エンドキャップがショーケースローラ棚に設置された状態を示す平面図である。
【図４】図１のショーケースローラ棚用エンドキャップがショーケースローラ棚に複数設置された状態を示す斜視図である。
【図５】本発明の他の実施形態に係るショーケースローラ棚用エンドキャップがショーケースローラ棚に設置された状態を示す平面図である。
【図６】図５のショーケースローラ棚用エンドキャップがショーケースローラ棚に複数設置された状態を示す斜視図である。
【発明を実施するための形態】
【００２５】
以下、本発明の属する技術分野における通常の知識を有する者が本発明を容易に実施できる程度に、本発明の好適な実施形態を添付の図面を参照して詳細に説明すれば、以下の通りである。
【００２６】
実施形態を説明するにおいて、本発明の属する技術分野において周知され、本発明と直接の関連性のない技術内容については、説明を省略する。これは、不要な説明を省略することによって、本発明の要旨を曖昧にせず、更に明確に伝達するためである。
【００２７】
同様の理由により、添付の図面において一部の構成要素は誇張されたり、省略又は概略的に示している。また、各構成要素の大きさは、実際の大きさを完全に反映させたものではない。各図面において同一又は対応する構成要素には、同一の参照番号を付した。
【００２８】
以下、本発明の実施形態によってショーケースローラ棚用エンドキャップを説明するための図面を参照し、本発明について説明する。
【００２９】
図１は、本発明の一実施形態に係るショーケースローラ棚用エンドキャップがショーケースローラ棚に設置される状態を示す分解斜視図であり、図２は、図１のショーケースローラ棚用エンドキャップがショーケースローラ棚に設置される状態を示す斜視図である。
【００３０】
図１及び図２を参照すれば、本発明の一実施形態に係るショーケースローラ棚用エンドキャップ１００は、ショーケースの内部に商品がスライドにより引き出し位置に移動するように複数のローラ１１がローラ支持体１２に回転可能に支持され、ローラ支持体１２の外側周囲を覆うケーシング１３を含むローラ単位体１０を複数列に配列した状態で、それぞれのケーシング１３の両端に挿入支持されるように設置される。
【００３１】
ここで、ローラ単位体１０は、複数のローラ１１に商品が転がり接触した状態で引き出し位置に持続的に供給されることによって供給位置よりも積載位置が上部に位置して傾斜した形態を有することにより、ローラ１１を覆っているケーシング１３の両端は上部と下部にそれぞれ位置する。そのため、エンドキャップ１００が設置される位置のうち一方を上部として、他方を下部として定義する。
【００３２】
また、単位別に製作されたローラ単位体１０は、商品の左右の大きさとショーケース用棚の左右の広さに応じて、複数数量が配列設置されるものであって、最初の設置位置を一側として定義し、複数に配置される方向を他側として定義する。
【００３３】
これは、説明の便宜上のものであり、設置される方向と位置を制限しないことは、当業者に自明である。
【００３４】
上述したショーケースローラ棚用エンドキャップ１００は、複数列に配列されているケーシング１３の上下に設置されたキャップ本体１１０、及び突出体１２０を含む。
【００３５】
キャップ本体１１０は、ケーシング１３の両端に互いに向かい合う位置に配置されており、複数列に備えられたケーシング１３の両端を横切る位置に設置される。キャップ本体１１０は、棚の左右幅によって複数に配列されるケーシング１３の上部と下部に対し、それぞれ横切る位置に設置され、複数に配列された全てのケーシング１３の上下をそれぞれ支持するように設置される。
【００３６】
キャップ本体１１０は、上部から下部方向へ傾斜した状態で一側から他側方向へ複数に配列されたケーシング１３の上下位置に備えられ、それぞれのケーシング１３方向に突出体１２０が挿入されて支持されるように、ケーシング１３の上部又は下部に対し、一側から他側へ横切る位置に設置される。
【００３７】
突出体１２０は、キャップ本体１１０の互いに向かい合う方向にそれぞれ突出しており、複数列に備えられたケーシング１３の両端にそれぞれ挿入されるように、キャップ本体１１０の互いに向かい合う位置で突出する。突出体１２０は、複数のケーシング１３が挿入される位置毎に複数列に配置されているローラ１１について、各列毎に回転中心が互いに異なる位置となるように、それぞれ突出距離が調節されるように設けられる。即ち、突出体１２０は、複数列の位置のうち隣接する列が支持される突出距離が互いに異なるように備えられた状態で交互に繰り返すように突出して、ケーシング挿入時に、複数列に位置する複数のローラ１１について、各列毎に回転中心軸の位置が互いに異なって位置するように支持して、各列毎に商品とローラ１１の接触する面積が拡大するように設けられる。
【００３８】
図３は、図１のショーケースローラ棚用エンドキャップがショーケースローラ棚に設置された状態を示す平面図であり、図４は、図１のショーケースローラ棚用エンドキャップがショーケースローラ棚に複数設置された状態を示す斜視図である。
【００３９】
図３及び図４は、本発明のショーケースローラ棚用エンドキャップ１００の主要構成である突出体１２０の１つの実施形態を示すものであって、突出体１２０は、第１突出体１２１、第２突出体１２２、第３突出体１２３、及び第４突出体１２４を含む。
【００４０】
第１突出体１２１は、複数列に配列されたケーシング１３のうち一側端に位置しているケーシング１３の上下端部のうち上部端部の位置に挿入されるように、一方に位置するキャップ本体１１０の一側端から下部方向へ、第１突出距離Ｌ１だけ突出している。
【００４１】
第２突出体１２２は、第１突出体１２１の互いに向かい合う下部に配置されており、第１突出体１２１が挿入支持されるケーシング１３の下部端部の位置に挿入されるように、下部に位置するキャップ本体１１０の上部方向へ、第２突出距離Ｌ２だけ突出している。
【００４２】
第１突出体１２１と第２突出体１２２は、一側から他側方向へ複数に配列されているケーシング１３の最初の支持位置である一側端に設置されたケーシング１３の上部と下部にそれぞれ挿入されて支持するように設けられる。
【００４３】
第３突出体１２３は、第１突出体１２１の隣接する他側に配置されており、第１突出体１２１が支持されるケーシング１３の隣接する他側に位置するケーシング１３の上部端部の位置に挿入されるように、下部方向へ第３突出距離Ｌ３だけ突出している。
【００４４】
第４突出体１２４は、第３突出体１２３の互いに向かい合う下部に配置されており、第３突出体１２３が挿入支持されるケーシング１３の他端の位置に挿入されるように、下部に位置するキャップ本体１１０の上部方向へ第４突出距離Ｌ４だけ突出している。
【００４５】
第１突出距離Ｌ１と第３突出距離Ｌ３が互いに異なるように設けられ、第２突出距離Ｌ２と第４突出距離Ｌ４が互いに異なるように設けられており、それぞれに支持されたケーシング１３の内部に設置されたローラ１１の回転中心軸の位置が互いにジグザグにとなるように設けられる。
【００４６】
即ち、第１突出距離Ｌ１は、第３突出距離Ｌ３よりも大きく、第１突出距離Ｌ１の大きな突出距離の差だけ、第４突出距離Ｌ４が第２突出距離Ｌ２よりも大きく備えられ、それぞれに支持されたケーシング１３の内部に設置されたローラ１１が回転される各列毎に中心軸の位置が互いにジグザグに設けられることができる。
【００４７】
換言すれば、第１突出距離Ｌ１は、第３突出距離Ｌ３よりも下部方向に大きな突出距離Ｌｄだけ第２突出体１２２に向かって更に突出するように設けられ、第３突出体１２３の下部に向かい合う位置に突出した第４突出体１２４の第４突出距離Ｌ４は、第１突出距離Ｌ１の大きな突出距離Ｌｄだけ上部方向に更に突出するように設けられ、２列に配置されたケーシング１３に位置するローラ１１が突出した上下にそれぞれ回転中心軸の距離が調節されて、ジグザグに設けられることができる。
【００４８】
このような第１突出距離Ｌ１が第３突出距離Ｌ３よりも大きく突出した大きな突出距離Ｌｄと、第４突出距離Ｌ４が第２突出距離Ｌ２よりも大きく突出した大きな突出距離Ｌｄと、は同一であり、大きな突出距離Ｌｄの和である大きな突出距離Ｌｄの２倍は、ケーシング１３に設置された複数のローラ１１の回転軸間距離Ｓよりも小さくなるように設けられ、それぞれに支持されたケーシング１３の内部に設置されたローラ１１は、各列毎に回転する中心軸の位置が互いにジグザグとなるように設けられる。
【００４９】
即ち、第１突出距離Ｌ１における第３突出距離Ｌ３よりも大きな突出距離Ｌｄは、第４突出距離Ｌ４における第２突出距離Ｌ２よりも大きな突出距離Ｌｄと同一に形成され、第１突出体１２１と第２突出体１２２で挿入支持されたケーシング１３は、下部方向にローラ１１の中心軸を移動させる。また、第３突出体１２３と第４突出体１２４で挿入支持されたケーシング１３は、上部方向にローラの中心軸を移動させる。このように、突出体１２０で支持される２つのケーシング１３に設置されたローラ単位体１０は、上下にそれぞれ移動する大きな突出距離Ｌｄの和である大きな突出距離Ｌｄの２倍がローラ１１軸間距離Ｓよりも小さくなるように設けられ、２つの列に設置されたローラ１１が互いにジグザグに設置されて、商品の移動時に接触面積が拡大し得る。
【００５０】
好ましくは、第１突出距離Ｌ１が第３突出距離Ｌ３よりも大きく突出した大きな突出距離Ｌｄと、第４突出距離Ｌ４が第２突出距離Ｌ２よりも大きく突出した大きな突出距離Ｌｄとは、同一に、ケーシング１３に設置された複数のローラ１１の回転軸間距離Ｓの１／４に形成され、２つの大きな突出距離Ｌｄの和が、ローラ１１の軸間距離Ｓの１／２となるように備えられることができる。
【００５１】
２列にそれぞれ位置するケーシング１３の第３突出距離Ｌ３よりも大きな突出距離Ｌｄを有する第１突出距離Ｌ１は、一側のケーシングに支持されたローラの回転中心軸を、上部に軸間距離Ｓの１／４だけ移動させ、第２突出距離Ｌ２よりも大きな突出距離Ｌｄを有する第４突出距離Ｌ４は、他側のケーシング１３に支持されたローラ１１の回転中心軸を、下部に軸間距離Ｓの１／４だけ移動させる。このように、一側にローラ１１と他側のローラ１１をそれぞれ軸間距離Ｓの１／４だけ移動させれば、結果として、一側のローラ１１の軸間距離Ｓの１／２位置に他側のローラ１１の回転中心軸が位置し、各ローラ１１の間隔を最小化することによって、転がり接触面積を最大に拡大させることができる。
【００５２】
上部に位置するキャップ本体１１０は、長さによって第１突出体１２１と第３突出体１２３が交互に延長形成され、下部に位置するキャップ本体１１０は、長さによって第２突出体１２２と第４突出体１２４が交互に延長形成され得る。即ち、キャップ本体１１０の長さによって互いに異なるローラ１１の位置を有するローラ単位体１０が繰り返し設置されて延長可能であることにより、設置効率性が向上し得る。
【００５３】
図５は、本発明の他の実施形態に係るショーケースローラ棚用エンドキャップがショーケースローラ棚に設置された状態を示す平面図であり、図６は、図５のショーケースローラ棚用エンドキャップがショーケースローラ棚に複数設置された状態を示す斜視図である。
【００５４】
図５及び図６は、本発明のショーケースローラ棚用エンドキャップ１００の主要構成である突出体１２０の他の実施形態を示すものであって、突出体１２０は、第１突出体１２１、第２突出体１２２、第３突出体１２３、及び第４突出体１２４を含む。ここで、他の実施形態に係る突出体１２０の位置と構成は、図３及び図４に示す突出体１２０と同一であるため、差がある構成についてのみ説明する。
【００５５】
第３突出体１２３の第３突出距離Ｌ３は、第１突出体１２１の突出距離である第１突出距離Ｌ１よりも大きく、第３突出距離Ｌ３の大きな突出距離Ｌｄの差だけ第３突出体１２３の第３突出距離Ｌ３が第４突出体１２４の第４突出距離Ｌ４よりも大きくなるように設けられ、それぞれに支持されたケーシング１３の内部に設置されたローラ１１が回転する各列毎に中心軸の位置が互いにジグザグに設けられることができる。
【００５６】
換言すれば、第３突出距離Ｌ３は、第１突出距離Ｌ１よりも下部方向に大きな突出距離だけ、第４突出体１２４に向かって更に突出するように設けられ、第１突出体１２１の下部に向かい合う位置に突出した第２突出体１２２の第２突出距離Ｌ２は、第３突出距離Ｌ３の大きな突出距離Ｌｄだけ、上部方向に更に突出するように設けられ、２列に配置されたケーシング１３に位置するローラ１１が突出した上下にそれぞれ回転する中心軸距離が調節されて、ジグザグとなることができる。
【００５７】
このような第３突出距離Ｌ３が第１突出距離Ｌ１よりも大きく突出した大きな突出距離Ｌｄと、第２突出距離Ｌ２が第４突出距離Ｌ４よりも大きく突出した大きな突出距離Ｌｄと、は同一であり、大きな突出距離Ｌｄの和である大きな突出距離Ｌｄの２倍は、ケーシング１３に設置された複数のローラ１１の回転軸間距離Ｓよりも小さくなるように設けられ、それぞれに支持されたケーシング１３の内部に設置されたローラ１１は、各列毎に回転する中心軸の位置が互いにジグザグとなるように設けられる。
【００５８】
即ち、第３突出距離Ｌ３における第１突出距離Ｌ１よりも大きな突出距離Ｌｄは、第２突出距離Ｌ２における第４突出距離Ｌ４よりも大きな突出距離Ｌｄと同一に形成され、第１突出体１２１と第２突出体１２２で挿入支持されたケーシング１３は、上部方向にローラ１１の中心軸を移動させる。また、第３突出体１２３と第４突出体１２４で挿入支持されたケーシング１３は、下部方向にローラの中心軸を移動させる。このように、突出体１２０で支持される２つのケーシング１３に設置されたローラ単位体１０は、上下にそれぞれ移動する大きな突出距離Ｌｄの和である大きな突出距離Ｌｄの２倍がローラの軸間距離Ｓよりも小さくなるように設けられ、２つの列に設置されたローラ１１が互いにジグザグに設置されて、商品の移動時に接触面積が拡大し得る。
【００５９】
好ましくは、第３突出距離Ｌ３が第１突出距離Ｌ１よりも大きく突出した大きな突出距離Ｌｄと、第２突出距離Ｌ２が第４突出距離Ｌ４よりも大きく突出した大きな突出距離Ｌｄとは、同一に、ケーシング１３に設置された複数のローラ１１の回転軸間距離Ｓの１/４に形成され、２つの大きな突出距離Ｌｄの和がローラ１１の軸間距離Ｓの１/２となるように設けられることができる。
【００６０】
２列にそれぞれ位置するケーシングの第１突出距離Ｌ１よりも大きな突出距離Ｌｄを有する第３突出距離Ｌ３は、他側のケーシングに支持されたローラの回転中心軸を上部に軸間距離の１／４だけ移動させ、第４突出距離Ｌ４よりも大きな突出距離を有する第２突出距離Ｌ２は、一側のケーシング１３に支持されたローラ１１の回転中心軸を下部に軸間距離Ｓの１／４だけ移動させる。このように、一側のローラ１１と他側のローラ１１をそれぞれ軸間距離Ｓの１／４だけ移動させれば、結果として、一側のローラ１１の軸間距離Ｓの１／２位置に他側のローラ１１の回転中心軸が位置し、各ローラ１１の間隔を最小化することによって、転がり接触面積を最大に拡大させることができる。
【００６１】
上部に位置するキャップ本体１１０は、長さによって第１突出体１２１と第３突出体１２３が延長形成され、下部に位置するキャップ本体１１０は、長さによって第２突出体１２２と第４突出体１２４が交互に延長形成され得る。即ち、キャップ本体１１０の長さによって互いに異なるローラ１１の位置を有するローラ単位体１０が繰り返し設置されて延長可能であることにより、設置効率性が向上し得る。
【００６２】
一方、本明細書と図面には、本発明の好適な実施形態について開示し、たとえ特定用語が用いられていても、これは単に本発明の技術内容を容易に説明し、発明の理解を促進するための一般的な意味として用いられたものであって、本発明の範囲を限定しようとするものではない。ここで開示された実施形態の他にも本発明の技術的思想に基づく他の変形例が実施可能であるということは本発明の属する技術分野における通常の知識を有する者に自明である。
【符号の説明】
【００６３】
１０    ローラ単位体
１１    ローラ
１２    ローラ支持体
１３    ケーシング
Ｓ    軸間距離
１００    エンドキャップ
１１０    キャップ本体
１２０    突出体
１２１    第１突出体
Ｌ１    第１突出距離
１２２    第２突出体
Ｌ２    第２突出距離
１２３    第３突出体
Ｌ３    第３突出距離
１２４    第４突出体
Ｌ４    第４突出距離
【図１】
2018501067.tif 000003
【図２】
2018501067.tif 000004
【図３】
2018501067.tif 000005
【図４】
2018501067.tif 000006
【図５】
2018501067.tif 000007
【図６】
2018501067.tif 000008
【国際調査報告】
2018501067.tif 000009
2018501067.tif 000010
2018501067.tif 000011
2018501067.tif 000012